(57)【要約】【課題】容器の内側の洗浄に用いられる容器洗浄装置の構成を簡素化する。【解決手段】容器洗浄装置１０は、洗浄対象容器６の開口６ａが下方を向く状態で、洗浄対象容器６を支持するための容器支持部１４と、容器支持部１４に支持された支持状態の洗浄対象容器６の内側に洗浄液を噴射するための洗浄液供給管１６と、汚物流し５の縁部５ａに容器洗浄装置１０を取り付けるための取付部２０とを備え、取付部２０により容器洗浄装置１０が汚物流し５の縁部５ａに取り付けられた状態では、洗浄液供給管１６から支持状態の洗浄対象容器６の内側に噴き出されて洗浄対象容器６の開口６ａから流出した洗浄液が、汚物流し５に流入するように構成されている。【選択図】図１
2020192493.tif 000002
【特許請求の範囲】
【請求項１】
容器を洗浄するための容器洗浄装置であって、
洗浄対象容器の開口が下方を向く状態で、該洗浄対象容器を支持するための容器支持部と、
前記容器支持部に支持された支持状態の洗浄対象容器の内側に洗浄液を噴射するための洗浄液供給管と、
汚物流しの上側開口の縁部に、当該容器洗浄装置を取り付けるための取付部とを備え、
前記取付部により当該容器洗浄装置が前記汚物流しの縁部に取り付けられた状態では、前記洗浄液供給管から前記支持状態の洗浄対象容器の内側に噴き出されて該洗浄対象容器の開口から流出した洗浄液が、前記汚物流しに流入するように構成されている、容器洗浄装置。
【請求項２】
前記取付部は、前記縁部が下から嵌り込む凹部により構成されている、請求項１に記載の容器洗浄装置。
【請求項３】
前記凹部の幅が調節可能に構成されている、請求項２に記載の容器洗浄装置。
【請求項４】
前記汚物流しの外側において当該容器洗浄装置を支持する支持脚を取り付けるための脚取付部をさらに備えている、請求項１乃至３の何れか１つに記載の容器洗浄装置。
【請求項５】
前記容器支持部が内側に設けられた本体ケーシングと、
前記本体ケーシング内における前記容器支持部の下方に配置され、前記洗浄液供給管から前記支持状態の洗浄対象容器の内側に噴き出されて該洗浄対象容器の開口から流出する洗浄液を前側に導く斜面部と、
前記本体ケーシングに取り付けられて、該斜面部を前側から遮蔽する遮蔽部材とをさらに備えている、請求項１乃至４の何れか１つに記載の容器洗浄装置。
【発明の詳細な説明】
【技術分野】
【０００１】
本発明は、容器の内側の洗浄に用いられる容器洗浄装置に関する。
【背景技術】
【０００２】
従来から、様々な容器洗浄装置が開発されている。特許文献１には、医療分野や介護分野で用いられる汚物処理のための容器を洗浄するための処理装置が記載されている。
【０００３】
具体的に、特許文献１に記載の処理装置は、洗浄液ノズルから噴射される洗浄液で、再利用可能な容器を洗浄することが可能な第１処理槽と、液を貯留可能なシンクなどを有する第２処理槽とを備えている。第１処理槽は、分岐された複数の支柱を有する支持具を備えている。再利用可能な容器は、各支柱に被せて配置される。各支柱の先端部には、洗浄液ノズルが取り付けられており、供給配管から供給された洗浄液が各支柱の内部を通じて洗浄液ノズルの先端から放出されることにより、容器の内部が洗浄される。第１処理槽で使用された洗浄液は、網板の網目を通じて第２処理槽に流下し、シンクの下部に接続された排液系から排出される。
【先行技術文献】
【特許文献】
【０００４】
【特許文献１】特許６２４３５０７号公報
【発明の概要】
【発明が解決しようとする課題】
【０００５】
ところで、従来の容器洗浄装置（特許文献１に記載の処理装置）は、処理槽が２つ設けられているなど、簡素な構成とは言い難い。本発明は、このような事情に鑑みてなされたものであり、容器の内側の洗浄に用いられる容器洗浄装置の構成を簡素化することを目的とする。
【課題を解決するための手段】
【０００６】
上述の課題を解決するべく、第１の発明は、容器を洗浄するための容器洗浄装置であって、洗浄対象容器の開口が下方を向く状態で、該洗浄対象容器を支持するための容器支持部と、容器支持部に支持された支持状態の洗浄対象容器の内側に洗浄液を噴射するための洗浄液供給管と、汚物流しの上側開口の縁部に、当該容器洗浄装置を取り付けるための取付部とを備え、取付部により当該容器洗浄装置が汚物流しの縁部に取り付けられた状態では、洗浄液供給管から支持状態の洗浄対象容器の内側に噴き出されて該洗浄対象容器の開口から流出した洗浄液が、汚物流しに流入するように構成されている。
【０００７】
第２の発明は、第１の発明において、取付部は、縁部が下から嵌り込む凹部により構成されている。
【０００８】
第３の発明は、第２の発明において、凹部の幅が調節可能に構成されている。
【０００９】
第４の発明は、第１乃至第３の何れか１つの発明において、汚物流しの外側において当該容器洗浄装置を支持する支持脚を取り付けるための脚取付部をさらに備えている。
【００１０】
第５の発明は、第１乃至第４の何れか１つの発明において、容器支持部が内側に設けられた本体ケーシングと、本体ケーシング内における容器支持部の下方に配置され、洗浄液供給管から支持状態の洗浄対象容器の内側に噴き出されて該洗浄対象容器の開口から流出する洗浄液を前側に導く斜面部と、本体ケーシングに取り付けられて、該斜面部を前側から遮蔽する遮蔽部材とをさらに備えている。
【発明の効果】
【００１１】
本発明では、容器洗浄装置が、その取付部により汚物流しの縁部に取り付け可能である。そして、取付部により容器洗浄装置が汚物流しの縁部に取り付けられた状態では、洗浄液供給管から支持状態の洗浄対象容器の内側に噴き出されてその開口から流出した洗浄液が、汚物流しに流入する。そのため、従来の容器洗浄装置が具備するシンクが不要である。本発明によれば、容器洗浄装置の構成を簡素化することができる。
【図面の簡単な説明】
【００１２】
【図１】図１は、実施形態に係る容器洗浄装置の斜視図ある。
【図２】図２は、容器洗浄装置の縦断面図ある。
【図３】図３は、天板を除く本体ケーシングと取付調整用部材の斜視図である。
【発明を実施するための形態】
【００１３】
以下、図１−図３を参照しながら、本発明の実施形態を詳細に説明する。なお、以下の実施形態は、本発明の一例であって、本発明、その適用物、あるいはその用途の範囲を制限することを意図するものではない。
【００１４】
［１．容器洗浄装置の構成］
容器洗浄装置１０は、医療現場で発生する廃液（手術中に出る廃液、患者の痰又は、内視鏡検査の処置において発生する廃液等）を貯留する容器などの洗浄に用いる装置である。容器洗浄装置１０は、医療施設に据え付けられた汚物流し５の上側開口の縁部５ａに取り付けられた取付状態（図１及び図２に示す状態）で使用される。なお、以下において、容器洗浄装置１０は、汚物流し５の内側を向く側を「前側」、その反対側を「後ろ側」と言う。また、「左右」は容器洗浄装置１０の前側から見た向きを言う。
【００１５】
容器洗浄装置１０は、図１及び図２に示すように、洗浄対象容器６を出し入れするために前側が開放された本体ケーシング１２と、洗浄対象容器６の開口６ａが下方を向く状態で洗浄対象容器６を支持するための容器支持部を構成する網状部材１４と、網状部材１４に支持された支持状態の洗浄対象容器６の内側に洗浄液を噴射するための洗浄液供給管１６と、汚物流し５の縁部５ａに容器洗浄装置１０を取り付けるための取付部２０とを備えている。容器洗浄装置１０は、洗浄対象容器６の洗浄に用いた洗浄液を排出するための排出口１８が、上述の取付状態において汚物流し５の縁部５ａの内側を臨むように設けられている。以下において、容器洗浄装置１０について詳細に説明する。
【００１６】
本体ケーシング１２は、一対の左右の側壁２１と後ろ壁２２と天板２３とにより構成された箱体である。本体ケーシング１２は、縦長形状をしており、上下方向の真ん中より少し下側の高さに、平板状の網状部材１４が設けられている。網状部材１４は、本体ケーシング１２の内部空間を上下に仕切るように、本体ケーシング１２の内側に取り付けられている。本体ケーシング１２における網状部材１４より上側部分は、略直方体状を呈する。網状部材１４上には、図２に示すように、洗浄対象容器６が、上側の開口６ａが下方を向く状態で載置される。
【００１７】
一対の側壁２１は、左右対称に形成されている。各側壁２１は、図３に示すように、略矩形板状の主要部２１ａと、主要部２１ａの下端の前側部分から下方に延びる略矩形板状の突出部２１ｂとを備えている。また、後ろ壁２２は、略矩形板状に形成され、一対の側壁２１の後ろ端の間を接続している。天板２３は、略矩形板状（又は略正方形の板状）に形成され、一対の側壁２１及び後ろ壁２２の上端部に取り付けられている。
【００１８】
本体ケーシング１２の天板２３には、水道栓に接続するための接続ポート２５が取り付けられている。接続ポート２５は、水道栓から延びる管路２４（ホースなど）が接続される入口２５ａと、洗浄液供給管１６の一部を構成する接続管路２７（可撓性のゴムチューブなど）が接続される出口２５ｂと、コックの操作により手動で開閉される開閉弁２５ｃとを備えている。接続ポート２５では、入口２５ａ及び開閉弁２５ｃが天板２３の外側に位置し、出口２５ｂが天板２３の内側に位置している。なお、図２では、接続ポート２５のうち天板２３の外側部分の記載を省略している。
【００１９】
洗浄液供給管１６は、上述の接続管路２７と、接続管路２７に接続されて網状部材１４に取り付けられた出口側管路２６とを備えている。出口側管路２６は、上下方向に延びており、網状部材１４を貫通している。出口側管路２６の上側端部（先端部）は、ジェットシャワー用の噴射ノズルとなっている。また、接続管路２７は、天板２３の直下における接続ポート２５の出口２５ｂから片方の側壁２１の内面に沿って延びて、網状部材１４を上側から下側に貫通している。そして、網状部材１４の下方でＵ字状に折り返して、出口側管路２６に繋がっている。水道栓から管路２４を介して洗浄液供給管１６に供給された水（洗浄液）は、出口側管路２６の先端部から噴出される。なお、出口側管路２６は、網状部材１４から上方に少し突出している（例えば１ｃｍ〜４ｃｍ程度突出している）。
【００２０】
本体ケーシング１２の下部（網状部材１４の下側部分）には、洗浄対象容器６の洗浄に用いられた洗浄液を前側（排出口１８側）に導くための斜面部３１と、上述の取付状態で汚物流し５の縁部５ａの内面に当接する取付用部材３２と、取付状態で汚物流し５の縁部５ａの上面に当接する底部材３３と、取付状態で汚物流し５の縁部５ａの外面に当接する取付調整用部材３４と、斜面部３１を前側から遮蔽する遮蔽部材３５とが設けられている。
【００２１】
斜面部３１は、略矩形板状に形成されている。斜面部３１は、本体ケーシング１２内における網状部材１４の下方に配置されており、前側に向かって下方に傾斜している。斜面部３１は、上側が後ろ壁２２に支持され、下側が底部材３３により支持されている。
【００２２】
取付用部材３２は、略矩形板状に形成されている。取付用部材３２は、左右の両側が各側壁２１の突出部２１ｂにおける後ろ側の辺に取り付けられ、斜面部３１の下端から下方（鉛直方向）に延びている。取付用部材３２は、遮蔽部材３５及び一対の側壁２１の突出部２１ｂとともに、排出口１８を形成している。
【００２３】
底部材３３は、略矩形板状（又は略正方形の板状）に形成され、後ろ壁２２の下端部から横方向に斜面部３１の下端部まで延びている。底部材３３は、前後方向の長さが天板２３よりも短い。底部材３３には、後述する一対の長穴３６ａに対応して一対の貫通孔が形成されている。そして、各貫通孔に対しボルト３３ａのネジ部を上側から挿通させた状態で底部材３３にボルト３３ａが溶接等により固定されている。
【００２４】
取付調整用部材３４は、断面視でＬ字状の部材である。取付調整用部材３４は、底部材３３に対し下側から取り付けられる略矩形状の取付用板３６と、取付用板３６の前端から下方（鉛直方向）に延びる略矩形状の幅調節板３７とを備えている。取付用板３６には、前後方向に延びる長穴３６ａが左右のそれぞれに形成されている。底部材３３に取付調整用部材３４を取り付ける際は、各ボルト３３ａを各長穴３６ａに通しながら底部材３３に取付用板３６を下側から重ねて、取付用板３６の下側で各ボルト３３ａにナットを螺合させて締め付けることで、取付調整用部材３４（取付用板３６）が底部材３３に固定される。
【００２５】
取付調整用部材３４は、取付用部材３２及び底部材３３とともに、取付部２０を構成する凹部２０を形成している。取付部２０は、汚物流し５の縁部５ａを挟み込む構造である。具体的に、取付調整用部材３４は、各ボルト３３ａに螺合されたナットが緩んだ状態では底部材３３に対し前後方向にスライド可能であり、これにより凹部２０は前後方向の幅が調節可能である。汚物流し５の縁部５ａに容器洗浄装置１０を取り付ける際は、凹部２０の幅を広げた状態で、汚物流し５の縁部５ａに凹部２０を上から嵌め込む。そして、取付調整用部材３４をスライドさせて縁部５ａに外側から幅調節板３７を押し当てながら、各ボルト３３ａに螺合させたナットを締め付けることにより、取付調整用部材３４を底部材３３に固定する。
【００２６】
遮蔽部材３５は、略矩形の板状に形成されている。遮蔽部材３５は、下端部に設けられた回転軸３５ａにより、一対の側壁２１の下部に開閉自在に取り付けられている。遮蔽部材３５を下端部を支点にして開けることで、斜面部３１などの洗浄を容易に行うことができる。
【００２７】
また、容器洗浄装置１０は、汚物流し５の外側において容器洗浄装置１０を支持する支持脚４０を取り付けるための脚取付部４１をさらに備えている。支持脚４０は、医療施設の汚物処理室の床面４５に当接する下側脚部４０ａと、下側脚部４０ａから上方に延びる棒状の本体脚部４０ｂとを備えている。下側脚部４０ａは、裏側に貼り付けた両面テープやアンカーなどにより床面４５に固定される。本体脚部４０ｂは、上端部にネジ溝が形成されている。また、脚取付部４１は、取付用板３６の後ろ側に形成された貫通孔４１である。支持脚４０は、取付用板３６の貫通孔４１に本体脚部４０ｂの上端部を下側から挿通させて、取付用板３６の上下からそれぞれ本体脚部４０ｂの上端部のネジ溝に各ナット４６を螺合させて締め付けることにより、容器洗浄装置１０に固定される。
【００２８】
［２．容器洗浄装置の使用方法］
容器洗浄装置１０により洗浄対象容器６を洗浄する際は、図２に示すように、使用者は、開口６ａが下方を向き、且つ、出口側管路２６が開口６ａに挿通された状態で、洗浄対象容器６を網状部材１４上に載置する。そして、接続ポート２５の開閉弁２５ｃのコックを操作して、開閉弁２５ｃを閉状態から開状態に切り替える。
【００２９】
そうすると、出口側管路２６の先端部から水が噴出して洗浄対象容器６の内面に衝突する。これにより、洗浄対象容器６の内面に付着した汚れが除去される。除去した汚れを含む水は、開口６ａを通って洗浄対象容器６から流出する。そして、洗浄対象容器６から流出した水は、斜面部３１上を前方に向かって流下し、排出口１８から汚物流れ５に流入する。使用者が開閉弁２５ｃのコックを操作して開閉弁２５ｃを閉状態に戻すと、出口側管路２６の先端部からの水の噴出が止まり、洗浄対象容器６の洗浄は終了する。
【００３０】
［３．実施形態の効果等］
本実施形態では、容器洗浄装置１０の使用時に洗浄対象容器６の内側の洗浄に用いられた洗浄液が、そのまま汚物流し５に流入する。そのため、従来の容器洗浄装置が具備するシンクが不要である。本実施形態によれば、容器洗浄装置１０の構成を簡素化することができる。
【００３１】
また、本実施形態では、取付部２０を構成する凹部２０の幅が調節可能である。そのため、汚物流し５の縁部５ａの厚みに拘わらず、凹部２０の幅を調節するだけで容器洗浄装置１０を汚物流し５の縁部５ａに容易に取り付けることができる。
【００３２】
また、本実施形態では、容器洗浄装置１０に取り付けられた支持脚４０により、容器洗浄装置１０が前側又は後ろ側に倒れることを阻止でき、容器洗浄装置１０を汚物流し５の縁部５ａに安定した状態で取り付けることができる。
【００３３】
また、本実施形態では、遮蔽部材３５により斜面部３１の前側を遮蔽しており、洗浄対象容器６の開口６ａから流出した洗浄液が全て、汚物流し５の水面に近い排出口１８から排出される。そのため、汚物流し５の水が大きく跳ねて使用者に掛かることを抑制することができる。
【００３４】
［４．その他の実施形態］
上記実施形態において、容器支持部は、網状部材１４に限定されず、開口６ａが下方を向くように洗浄対象容器６が載置される載置面を有し、且つ、開口６ａから流出した洗浄液を下方に通過させる隙間が形成された他の部材を用いることができる。また、容器支持部は、載置面を有していなくてもよく、開口６ａが下方を向く状態で洗浄対象容器６を吊り下げる又は保持する部材であってもよい。この場合、開口６ａから流出した洗浄液を下方に通過させる隙間は必要ない。
【００３５】
上記実施形態では、洗浄対象容器６の開口６ａが真下を向くように洗浄対象容器６が支持されているが、洗浄対象容器６の開口６ａから洗浄液が自然に流出するのであれば、開口６ａが斜めを向くように、容器支持部により洗浄対象容器６が支持されていてもよい。
【００３６】
上記実施形態では、取付部２０における凹部２０の壁面や底面にゴムなどの弾性部材を積層して、汚物流し５の縁部５ａに凹部２０が密着するようにしてもよい。また、取付部２０は、汚物流し５の縁部５ａを挟み込む構造とはせずに、他の構造を採用してもよい。
【００３７】
上記実施形態において、容器洗浄装置１０は、洗浄対象容器６の外面も洗浄するように構成してもよい。
【産業上の利用可能性】
【００３８】
本発明は、容器の内側の洗浄に用いられる容器洗浄装置等に適用可能である。
【符号の説明】
【００３９】
５      汚物流し
５ａ    縁部
６      洗浄対象容器
６ａ    開口
１０    容器洗浄装置
１４    容器支持部
１６    洗浄液供給管
【図１】
2020192493.tif 000003
【図２】
2020192493.tif 000004
【図３】
2020192493.tif 000005